(57)【特許請求の範囲】
【請求項１】
乗客コンベアの周回移動するステップであって、
利用者が乗る踏み板と、
前記踏み板の端縁に設けられたデマケーションコムと、
前記デマケーションコムの裏面側又は内部に配備され、前記デマケーションコムに振動を発生させる振動発生手段と、
前記振動発生手段を作動させる制御手段と、
を具える、
乗客コンベアのステップ。
【請求項２】
前記デマケーションコムは、複数に分割されて前記踏み板に配備されており、
前記各デマケーションコムの裏面側又は内部に前記振動発生手段が配備されている、
請求項１に記載の乗客コンベアのステップ。
【請求項３】
前記デマケーションコムに作用する荷重を検知する荷重検知手段を具え、
前記制御手段は、前記荷重検知手段の検知した荷重が所定値以上になると前記振動発生手段を作動させる、
請求項１又は請求項２に記載の乗客コンベアのステップ。
【請求項４】
請求項１乃至請求項３の何れかに記載の乗客コンベアのステップを周回可能に配備してなる、
乗客コンベア。
【請求項５】
前記乗客コンベアは、エスカレーターであって、
前記制御手段は、前記ステップの前記踏み板どうしが水平状態から段差のある状態に移行中、及び／又は、前記踏み板どうしが段差のある状態から水平状態に移行中に、前記振動発生手段を作動可能としている、
請求項４に記載の乗客コンベア。
【請求項６】
前記乗客コンベアは、エスカレーターであって、
前記制御手段は、前記ステップの前記踏み板どうしが水平状態で移行中に、前記振動発生手段を作動可能である、
請求項４又は請求項５に記載の乗客コンベア。
【請求項７】
前記乗客コンベアは、エスカレーターであって、
前記制御手段は、前記ステップの前記踏み板どうしが最大段差で移行中に、前記振動発生手段を作動可能である、
請求項４乃至請求項６の何れかに記載の乗客コンベア。
【請求項８】
前記乗客コンベアは、動く歩道であって、
進行方向に対して左右に配置されたデマケーションコムの裏面側又は内部に前記振動発生手段が配備されている、
請求項４に記載の乗客コンベア。
【発明の詳細な説明】
【技術分野】
【０００１】
本発明は、エスカレーターや動く歩道の如き乗客コンベアに関するものであり、より具体的にはデマケーションコムを踏んだときに報知を行なうことのできるステップ及びこれを具えた乗客コンベアに関するものである。
【背景技術】
【０００２】
エスカレーターや動く歩道（オートウォーク）などの乗客コンベアは、ステップに乗った利用者を乗口から降口まで運搬する。ステップの踏み板の端部には、衣服や履物などの挟み込みを防止するための樹脂製のデマケーションコム（デマケーションライン）が配設されている。デマケーションコムは一般に黄色系の着色が施されている。
【０００３】
利用者がデマケーションコムを踏んでしまった場合、利用者に視覚的に報知を行なうエスカレーターが提案されている（例えば、特許文献１参照）。また、その報知を音声出力で聴覚的に行なうものも提案されている。
【先行技術文献】
【特許文献】
【０００４】
【特許文献１】特開２０１２−１６６８６５号公報
【発明の開示】
【発明が解決しようとする課題】
【０００５】
しかしながら、上述のように利用者に視覚的又は聴覚的に報知を行なっても、視線方向や周囲の雑音などにより報知の対象者が気付かない場合がある。また、複数の利用者がエスカレーターの搭乗している場合、何れの利用者への報知であるのか認識することが難しい。さらには、視覚や聴覚が十分でない人々にとってはこれら報知の認識が困難である場合もある。さらに、言語の違いによって外国人の利用者にはその報知の意味が理解されないこともある。
【０００６】
そこで、本発明の目的は、デマケーションコムを踏んだ利用者に対して、認識し易く且つその報知内容が理解し易い乗客コンベア用ステップ及び乗客コンベアを提供する。
【課題を解決するための手段】
【０００７】
本発明に係る乗客コンベア用ステップは、
乗客コンベアのステップであって、
利用者が乗る踏み板と、
前記踏み板の端縁に設けられたデマケーションコムと、
前記デマケーションコムに振動を発生させる振動発生手段と、
前記振動発生手段を作動させる制御手段と、
を具える。
【０００８】
前記デマケーションコムは、複数に分割されて前記踏み板に配備されており、
前記各デマケーションコムに前記振動発生手段が配備されている構成とすることができる。
【０００９】
また、前記デマケーションコムに作用する荷重を検知する荷重検知手段を具え、
前記制御手段は、前記荷重検知手段の検知した荷重が所定値以上になると前記振動発生手段を作動させる構成とすることができる。
【００１０】
また、本発明に係る乗客コンベアは、
請求項１乃至請求項３の何れかに記載の乗客コンベアのステップを周回可能に配備してなる。
【００１１】
前記乗客コンベアは、エスカレーターであって、
前記制御手段は、前記ステップの前記踏み板どうしが水平状態から段差のある状態に移行中、及び／又は、前記踏み板どうしが段差のある状態から水平状態に移行中に、前記振動発生手段を作動可能とすることができる。
【００１２】
前記乗客コンベアは、エスカレーターであって、
前記制御手段は、前記ステップの前記踏み板どうしが水平状態で移行中に、前記振動発生手段を作動可能とすることができる。
【００１３】
また、前記乗客コンベアは、エスカレーターであって、
前記制御手段は、前記ステップの前記踏み板どうしが最大段差で移行中に、前記振動発生手段を作動可能とすることができる。
【００１４】
前記乗客コンベアは、動く歩道であって、
進行方向に対して左右に配置されたデマケーションコムに前記振動発生手段が配備されている。
【発明の効果】
【００１５】
本発明によれば、ステップに設けられたデマケーションコムが振動発生手段によって振動することで、利用者はデマケーションコムに足を乗せたことを直接認識することができる。すなわち、足に直接振動が伝わることで、利用者は、足下のデマケーションコムの存在に気付くと共に、それを踏んでいることを容易に理解することができる。振動による報知は、視覚的又は聴覚的な報知に比べて、複数の利用者が搭乗していても該当する利用者のみに直接伝わるため、他の利用者は自身が報知を受けていると誤って認識してしまうこともない。さらに、振動による報知は、利用者の視線方向や周囲の環境の影響を受けず、言語を使用しないので外国人にも判り易い等の利点がある。デマ―ケーションコムが振動することによる報知は、耳の不自由な利用者や目の不自由な利用者など様々な人々に対しても極めて有効なユニバーサルデザインといえる。
【００１６】
利用者がデマケーションコムに足を乗せたときに、振動によってその報知を行なうことができることで、利用者はデマケーションコムから足を退ける動作に移るから、衣服や履物などの挟み込みを効果的に防止することができる。
【００１７】
振動発生手段は、エスカレーターで衣服や履物などの挟み込みの生じ易い領域又はその途上で作動可能にすることで、その報知を効果的に利用者に伝えることができる。
【図面の簡単な説明】
【００１８】
【図１】図１は、乗客コンベアであるエスカレーターの概略構成を示す側面断面図である。
【図２】図２は、本発明の一実施形態に係るステップの斜視図である。
【図３】図３は、ステップの側面図である。
【図４】図４は、図３の線４−４に沿う拡大断面図である。
【図５】図５は、本発明の一実施形態に係るブロック図である。
【図６】図６は、本発明の異なる実施形態に係るステップの斜視図である。
【図７】図７は、動く歩道に採用可能な本発明の一実施形態に係るステップの平面図である。
【発明を実施するための形態】
【００１９】
以下、図面を参照して本発明の実施形態の乗客コンベアについて説明する。なお、乗客コンベアとして、エスカレーター１０を例示する。
【００２０】
図１は、本発明のエスカレーター１０の側面断面図であって、主要な構成及び踏み板（図２参照）が上面を向いている一部のステップ２０のみを示している。エスカレーター１０は、ステップ２０（踏み段）に乗った利用者を建物の下階から上階、上階から下階へと運搬する。
【００２１】
エスカレーター１０は、図１に示すように、上階側階床１１と下階側階床１２を接続するよう配置されたトラス１４に、無端状に連結された複数のステップ２０と、同じく無端状の移動手摺１５を具える。ステップ２０及び移動手摺１５は、図示しない駆動装置によって互いに同期しながら周回移動する。
【００２２】
図２は、ステップ２０の要部を示す斜視図である。ステップ２０は、利用者が乗る踏み面となる踏み板２１と、踏み板２１の下階側の端部から下向きに突設されたライザー２３、踏み板２１の端縁に設けられたデマケーションコム３０を有する。踏み板２１、デマケーションコム３０及びライザー２３には、進行方向と平行にクリートが凹設されている。なお、図１に示すように、ステップ２０の裏面側には、ローラ２６等を具えたアングル２５が装着される。
【００２３】
図示の実施形態では、デマケーションコム３０は、踏み板２１の上階側３０ａ及び幅方向の側縁３０ｂ，３０ｃの計三方に夫々形成している。もちろん、デマケーションコム３０は、踏み板２１の端部全周に設けたり（図６参照）、ステップ２０の幅方向の側縁のみ（図７参照）に形成しても構わない。なお、デマケーションコムについて、その識別が必要な場合には符号３０に夫々ａ、ｂ、ｃを添え、これらに対応して用いられる振動発生手段４０（後述する）等にもａ〜ｃの文字を添える。
【００２４】
踏み板２１には、図３及び図４に示すように、凹み２２が形成されており、当該凹み２２にデマケーションコム３０（３０ｂ）が配設されている。
【００２５】
デマケーションコム３０は、板状の部材であって、樹脂或いはアルミダイカストにより作製することができ、一般に黄色に着色されている。
【００２６】
各デマケーションコム３０は、図示省略するボルトやネジなどによって凹み２２に装着することができる。なお、デマケーションコム３０の振動を許容させるために、デマケーションコム３０は凹み２２に対してリジットに固定するのではなく、ゴムやバネワッシャーなどを介在させて凹み２２に取り付けることが好適である。
【００２７】
各デマケーションコム３０（３０ｂ）は、図３及び図４に示すように、裏面側又は内部に振動発生手段４０（４０ｂ）を具える。振動発生手段４０は、図示の実施形態では、凹み２２の底面とデマケーションコム３０の間に配置している。たとえば、振動発生手段４０として、モーターの回転軸に偏心ウェイトを装着した構成を例示でき、モーターの回転によって偏心ウェイトが偏心回転し、デマケーションコム３０を振動させる。
【００２８】
利用者がデマケーションコム３０を踏んだことを検知するために、図３及び図４に示すように、各デマケーションコム３０（３０ｂ）には、荷重検知手段４１（４１ｂ）を配備することが望ましい。荷重検知手段４１は、図示の実施形態ではシート状の圧力センサであり、振動発生手段４０の両側に配置している。
【００２９】
上記振動発生手段４１は、図５に示す制御手段４２によってその作動が制御される。制御手段４２は、図３及び図４に示すように踏み板２１の裏面に配置することができる。
【００３０】
制御手段４２は、図５のブロック図に示すように、各デマケーションコム３０ａ，３０ｂ，３０ｃ（図２）に配置された振動発生手段４０ａ，４０ｂ，４０ｃ及び荷重検知手段４１ａ，４１ｂ，４１ｃと電気的に接続されている。また、図示省略するが、制御手段４２等に電源を供給するバッテリーも制御手段４２と共に踏み板２１の裏面に配置されている。
【００３１】
制御手段４２は、荷重検知手段４１ａ，４１ｂ，４１ｃの検知する荷重が所定値以上になると、対応する振動発生手段４０ａ，４０ｂ又は４０ｃを作動させ、また、荷重検知手段４１ａ，４１ｂ，４１ｃの検知した荷重が所定値未満であると、振動発生手段４０ａ，４０ｂ，４０ｃの作動を停止させる。
【００３２】
上記により、利用者がデマケーションコム３０を踏み、所定の荷重が加わった場合にのみ振動発生手段４０が作動し、該当するデマケーションコム３０が振動することで、利用者がデマケーションコム３０に足を乗せていることを認識することができる。この振動による報知によって、利用者はデマケーションコム３０から足を退ける動作に移るから、衣服や履物などの挟み込みを効果的に防止することができる。
【００３３】
なお、振動発生手段４０の作動は、上記実施形態では荷重検知手段４１の検知加重を利用しているが、振動発生手段４０は、ステップ２０が踏み板２１を上に向けて移動している状態で常時作動させる構成としてもよい。この場合、荷重検知手段４１は不要である。これにより、荷重が所定値に満たない場合、たとえば、履物の一部がデマケーションコム３０に掛かった場合や荷物がデマケーションコム３０に乗った場合でも、常時振動する振動発生手段４０によって利用者にその報知を行なうことができる。
【００３４】
さらに、振動発生手段４０は、前後のステップ２０との段差に基づいて作動可能とすることもできる。具体的には、図１に示すように、エスカレーター１０を、前後の踏み板２１，２１どうしが水平状態にある上階側水平部５０、下階側水平部５１、前後の踏み板２１，２１どうしが最大段差となる傾斜部５２、前後の踏み板２１，２１どうしの段差が水平状態から最大段差又は最大段差から水平状態に移行する移行部５３，５４に分け、制御手段４２は、何れかの領域で振動発生手段４０を作動可能又は常時作動させてもよい。
【００３５】
振動発生手段４０の作動範囲は、ステップ２０に位置検出手段４３を配置することで検出することができる。位置検出手段４３として、光電センサや赤外線センサなどを例示することができる。光電センサの場合、ステップ２０の移行路に投光部を配置し、位置検出手段４３としての受光部をステップ２０に配置すればよい。位置検出手段４３は、図５に示すように制御手段４２に電気的に接続され、制御手段４２が位置検出手段４３の検出結果に基づいて、振動発生手段４０の作動を制御するようにすればよい。
【００３６】
たとえば、制御手段４２は、利用者が階床からステップ２０に踏み出す上階側水平部５０又は下階側水平部５１で振動発生手段４０を作動可能とする。これにより、利用者がステップ２０に乗る際に、誤ってデマケーションコム３０を踏んでしまうと、振動により報知することができ、踏み板２１に正しく足を乗せてエスカレーター１０を利用することができる。
【００３７】
また、制御手段４２は、移行部５３，５４にて振動発生手段４０を作動可能とすることで、相対的に段差が変動するステップ２０，２０に衣服や履物などが挟み込まれてしまうことを防止できる。
【００３８】
制御手段４２は、利用者がステップ２０から階床に踏み出す上階側水平部５０又は下階側水平部５１で振動発生手段４０を作動可能とする。これにより、エスカレーター１０から降りる際に、図１に示す階床側に設けられたランディングプレートのコム１６への衣服や履物などの挟み込みを防止できる。
【００３９】
さらに、制御手段４２は、傾斜部５２にて振動発生手段４０を作動可能とすることで、図１に示すように、ステップ２０の移行路の両側にあるスカートガード１７とステップ２０との間に衣服や履物などが挟み込まれることを防止できる。また、傾斜部５２で振動発生手段４０を作動可能とすることで、次に到来する移行部５３又は５４での衣服や履物などの挟み込みを未然に防止することができる。この場合、傾斜部５２のすべてで振動発生手段４０を作動可能とせず、傾斜部５２の行方向の終端側のみで振動発生手段４０を作動可能としてもよい。
【００４０】
上記各実施形態によれば、何れの場合も、ステップ２０に設けられたデマケーションコム３０が振動発生手段４０によって振動することで、利用者はデマケーションコム３０に足を乗せたことを直接認識することができる。すなわち、足に直接振動が伝わることで、利用者は、足下のデマケーションコム３０の存在に気付くと共に、それを踏んでいることを容易に理解することができる。振動による報知は、視覚的又は聴覚的な報知に比べて、複数の利用者が搭乗していても該当する利用者のみに直接伝わるため、他の利用者は自身が報知を受けていると誤って認識してしまうこともない。さらに、振動による報知は、利用者の視線方向や周囲の環境の影響を受けず、言語を使用しないので外国人にも判り易い等の利点がある。デマ―ケーションコムが振動することによる報知は、耳の不自由な利用者や目の不自由な利用者など様々な人々に対しても極めて有効なユニバーサルデザインといえる。
【００４１】
そして、利用者がデマケーションコムに足を乗せたときに、振動によってその報知を行なうことができることで、利用者はデマケーションコム３０から足を退ける動作に移るから、衣服や履物などの挟み込みを効果的に防止することができる。
【００４２】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００４３】
たとえば、図６は、デマケーションコム３０を踏み板２１の端部全周に設けた実施形態であって、さらに、進行方向側のデマケーションコム３０ａ，３０ｄを幅方向に分割し、側縁のデマケーションコム３０ｂ，３０ｃを前後方向に分割している。デマケーションコム３０を細部化することにより、振動発生手段４０の小型化を図ることができ、また、荷重検知も精度良く行なうことができる利点がある。
【００４４】
また、図７は、動く歩道用のステップ２０の平面図である。動く歩道の場合、幅方向の側縁のみにデマケーションコム３０ｂ，３０ｃを設け、その夫々に振動発生手段４０を配置すればよい。
【符号の説明】
【００４５】
１０  エスカレーター
２０  ステップ
２１  踏み板
３０  デマケーションコム
４０  振動発生手段
４１  荷重検知手段
４２  制御手段
【図１】
0006645338.tif 000002
【図２】
0006645338.tif 000003
【図３】
0006645338.tif 000004
【図４】
0006645338.tif 000005
【図５】
0006645338.tif 000006
【図６】
0006645338.tif 000007
【図７】
0006645338.tif 000008